(57)【特許請求の範囲】
【請求項１】
情報端末装置に備えられた装置であって、
入床及び起床の際にユーザが前記情報端末装置に対して行った操作を、前記ユーザの行動として特定する、行動特定部と、
前記ユーザに質問を提示し、前記ユーザによる前記質問に対する回答を取得する、回答取得部と、
特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、時刻特定部と、
を備え、
前記行動特定部が、前記情報端末装置を起動させる操作を、前記ユーザの行動として特定し、
前記回答取得部が、特定された前記操作が実行された時刻を用いて、前記ユーザが眠りから覚めた時刻を問いかける質問を作成し、更に、作成した前記質問を提示し、
前記時刻特定部が、前記眠りから覚めた時刻を問いかける質問に対する回答に基づいて、前記ユーザが眠りから覚めた時刻を特定する、
ことを特徴とする睡眠記録支援装置。
【請求項２】
情報端末装置に備えられた装置であって、
入床及び起床の際にユーザが前記情報端末装置に対して行った操作を、前記ユーザの行動として特定する、行動特定部と、
前記ユーザに質問を提示し、前記ユーザによる前記質問に対する回答を取得する、回答取得部と、
特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、時刻特定部と、
を備え、
前記行動特定部が、前記情報端末装置が備えるアラームの時刻の設定操作を、前記ユーザの行動として特定し、
前記回答取得部が、前記設定操作によって設定されたアラームの時刻を用いて、前記ユーザが眠りから覚めた時刻を問いかける質問を作成し、更に、作成した前記質問を提示し、
前記時刻特定部が、前記眠りから覚めた時刻を問いかける質問に対する回答に基づいて、前記ユーザが眠りから覚めた時刻を特定する、
ことを特徴とする睡眠記録支援装置。
【請求項３】
情報端末装置に備えられた装置であって、
入床及び起床の際にユーザが前記情報端末装置に対して行った操作を、前記ユーザの行動として特定する、行動特定部と、
前記ユーザに質問を提示し、前記ユーザによる前記質問に対する回答を取得する、回答取得部と、
特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、時刻特定部と、
を備え、
前記行動特定部が、前記情報端末装置が備えるアラームの時刻の設定操作を、前記ユーザの行動として特定し、
前記回答取得部が、前記設定操作が実行された時刻を用いて、前記ユーザが眠りに入るために横になった時刻を問いかける質問、及び前記ユーザが眠りに入った時刻を問いかける質問を作成し、更に、作成した前記質問を提示し、
前記時刻特定部が、前記眠りに入るために横になった時刻を問いかける質問に対する回答に基づいて、前記ユーザが眠りに入るために横になった時刻を特定し、前記ユーザが眠りに入った時刻を問いかける質問に対する回答に基づいて、前記ユーザが眠りに入った時刻を特定する、
ことを特徴とする睡眠記録支援装置。
【請求項４】
情報端末装置が実行する方法であって、
（ａ）入床及び起床の際にユーザが前記情報端末装置に対して行った操作を、前記ユーザの行動として特定する、ステップと、
（ｂ）前記ユーザに質問を提示し、前記ユーザによる前記質問に対する回答を取得する、ステップと、
（ｃ）特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、ステップと、
を有し、
前記（ａ）のステップにおいて、前記情報端末装置を起動させる操作を、前記ユーザの行動として特定し、
前記（ｂ）のステップにおいて、特定された前記操作が実行された時刻を用いて、前記ユーザが眠りから覚めた時刻を問いかける質問を作成し、更に、作成した前記質問を提示し、
前記（ｃ）のステップにおいて、前記眠りから覚めた時刻を問いかける質問に対する回答に基づいて、前記ユーザが眠りから覚めた時刻を特定する、
ことを特徴とする睡眠記録支援方法。
【請求項５】
情報端末装置が実行する方法であって、
（ａ）入床及び起床の際にユーザ前記情報端末装置に対して行った操作を、前記ユーザの行動として特定する、ステップと、
（ｂ）前記ユーザに質問を提示し、前記ユーザによる前記質問に対する回答を取得する、ステップと、
（ｃ）特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、ステップと、
を有し、
前記（ａ）のステップにおいて、前記情報端末装置が備えるアラームの時刻の設定操作を、前記ユーザの行動として特定し、
前記（ｂ）のステップにおいて、前記設定操作によって設定されたアラームの時刻を用いて、前記ユーザが眠りから覚めた時刻を問いかける質問を作成し、更に、作成した前記質問を提示し、
前記時刻特定部が、前記眠りから覚めた時刻を問いかける質問に対する回答に基づいて、前記ユーザが眠りから覚めた時刻を特定する、
ことを特徴とする睡眠記録支援方法。
【請求項６】
情報端末装置が実行する方法であって、
（ａ）入床及び起床の際にユーザが前記情報端末装置に対して行った操作を、前記ユーザの行動として特定する、ステップと、
（ｂ）前記ユーザに質問を提示し、前記ユーザによる前記質問に対する回答を取得する、ステップと、
（ｃ）特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、ステップと、
を有し、
前記（ａ）のステップにおいて、前記情報端末装置が備えるアラームの時刻の設定操作を、前記ユーザの行動として特定し、
前記（ｂ）のステップにおいて、前記設定操作が実行された時刻を用いて、前記ユーザが眠りに入るために横になった時刻を問いかける質問、及び前記ユーザが眠りに入った時刻を問いかける質問を作成し、更に、作成した前記質問を提示し、
前記（ｃ）のステップにおいて、前記眠りに入るために横になった時刻を問いかける質問に対する回答に基づいて、前記ユーザが眠りに入るために横になった時刻を特定し、前記ユーザが眠りに入った時刻を問いかける質問に対する回答に基づいて、前記ユーザが眠りに入った時刻を特定する、
ことを特徴とする睡眠記録支援方法。
【請求項７】
コンピュータに、
（ａ）入床及び起床の際にユーザが前記コンピュータに対して行った操作を、前記ユーザの行動として特定する、ステップと、
（ｂ）前記ユーザに質問を提示し、前記ユーザによる前記質問に対する回答を取得する、ステップと、
（ｃ）特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、ステップと、
を実行させ、
前記（ａ）のステップにおいて、前記コンピュータを起動させる操作を、前記ユーザの行動として特定し、
前記（ｂ）のステップにおいて、特定された前記操作が実行された時刻を用いて、前記ユーザが眠りから覚めた時刻を問いかける質問を作成し、更に、作成した前記質問を提示し、
前記（ｃ）のステップにおいて、前記眠りから覚めた時刻を問いかける質問に対する回答に基づいて、前記ユーザが眠りから覚めた時刻を特定する、
ことを特徴とするプログラム。
【請求項８】
コンピュータに、
（ａ）入床及び起床の際にユーザが前記コンピュータに対して行った操作を、前記ユーザの行動として特定する、ステップと、
（ｂ）前記ユーザに質問を提示し、前記ユーザによる前記質問に対する回答を取得する、ステップと、
（ｃ）特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、ステップと、
を実行させ、
前記（ａ）のステップにおいて、前記情報端末装置が備えるアラームの時刻の設定操作を、前記ユーザの行動として特定し、
前記（ｂ）のステップにおいて、前記設定操作によって設定されたアラームの時刻を用いて、前記ユーザが眠りから覚めた時刻を問いかける質問を作成し、更に、作成した前記質問を提示し、
前記時刻特定部が、前記眠りから覚めた時刻を問いかける質問に対する回答に基づいて、前記ユーザが眠りから覚めた時刻を特定する、
ことを特徴とするプログラム。
【請求項９】
コンピュータに、
（ａ）入床及び起床の際にユーザが前記コンピュータに対して行った操作を、前記ユーザの行動として特定する、ステップと、
（ｂ）前記ユーザに質問を提示し、前記ユーザによる前記質問に対する回答を取得する、ステップと、
（ｃ）特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、ステップと、
を実行させ、
前記（ａ）のステップにおいて、前記情報端末装置が備えるアラームの時刻の設定操作を、前記ユーザの行動として特定し、
前記（ｂ）のステップにおいて、前記設定操作が実行された時刻を用いて、前記ユーザが眠りに入るために横になった時刻を問いかける質問、及び前記ユーザが眠りに入った時刻を問いかける質問を作成し、更に、作成した前記質問を提示し、
前記（ｃ）のステップにおいて、前記眠りに入るために横になった時刻を問いかける質問に対する回答に基づいて、前記ユーザが眠りに入るために横になった時刻を特定し、前記ユーザが眠りに入った時刻を問いかける質問に対する回答に基づいて、前記ユーザが眠りに入った時刻を特定する、
ことを特徴とするプログラム。
【発明の詳細な説明】
【技術分野】
【０００１】
本発明は、不眠に悩む人を支援するための、睡眠記録支援装置及び睡眠記録支援方法に関し、更には、これらを実行するためのプログラムに関する。
【背景技術】
【０００２】
不眠症、特に「精神生理性不眠」に効果的な心理療法として、「不眠のための認知行動療法（ＣＢＴ−Ｉ：Cognitive Behavioral Therapy for Insomnia）」が知られている（例えば、非特許文献１参照）。ＣＢＴ−Ｉは、不眠の原因となっている、その人の考え方（認知）及び振る舞い（行動）の癖を明らかにし、この癖の代わりとなる習慣を獲得することで、不眠を改善する方法である。
【０００３】
ところで、ＣＢＴ−Ｉでは、不眠に悩む人は、毎日、睡眠日誌を付けることが求められる。睡眠日誌は、不眠に悩む人自身が睡眠状況を把握し、「気付き」を得るために必要である。不眠に悩む人は、睡眠日誌により、睡眠に対する「認知」及び「行動」を変えることができる。
【０００４】
具体的には、不眠に悩む人は、睡眠日誌に、毎日、布団（ベッド）に入った時刻（入床時刻）、眠りに入った時刻（入眠時刻）、目が覚めた時刻（起床時刻）、布団（ベッド）から出た時刻（離床時刻）を主観的に記録していく。また、記録された各時刻は、医師又は臨床心理士との面談時に、不眠に悩む人の状況を確認するために用いられる。
【先行技術文献】
【非特許文献】
【０００５】
【非特許文献１】井上  雄一、岡島  義  著、「不眠の科学」、朝倉書店、２０１２年６月３０日、ｐ．８６−８７
【発明の概要】
【発明が解決しようとする課題】
【０００６】
ところで、通常、睡眠日誌への各時刻の記録は、人が用紙に書き込むことによって行なわれている。このため、データの蓄積、医師等とのデータの共有の点で、不便である。また、人が時刻を書き忘れ、データが十分に集まらない可能性もある。
【０００７】
一方、パーソナルコンピュータ、スマートフォンといった情報端末を用いてデータを記録すれば、データの蓄積及び共有は容易となる。但し、この場合であっても、人が時刻の入力を忘れてしまうと、データが十分に集まらない可能性がある。
【０００８】
また、人にセンサを取り付け、センサからのデータによって、脳波、脳の動き、行動を特定すれば、各時刻を自動的に取得することも可能である。この場合は、データの蓄積及び共有が容易になるとともに、データが十分に集まらない事態も回避できると考えられる。
【０００９】
しかしながら、ＣＢＴ−Ｉにおいては、各時刻は、主観的な時刻である必要があり、自動的に取得された時刻では、治療の効果は大きく低減してしまう。ＣＢＴ−Ｉでは、不眠に悩む人が意識して各時刻を取得する必要がある。
【００１０】
本発明の目的の一例は、上記問題を解消し、人による睡眠についての主観的な時刻の取得を支援し、且つ、得られたデータの活用を促進し得る、睡眠記録支援装置、睡眠記録支援方法、及びプログラムを提供することにある。
【課題を解決するための手段】
【００１１】
上記目的を達成するため、本発明の一側面における睡眠記録支援装置は、
入床及び起床の際のユーザの行動を特定する、行動特定部と、
前記ユーザに質問を提示し、前記ユーザによる前記質問に対する回答を取得する、回答取得部と、
特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、時刻特定部と、
を備えている、ことを特徴とする。
【００１２】
また、上記目的を達成するため、本発明の一側面における睡眠記録支援方法は、
（ａ）入床及び起床の際のユーザの行動を特定する、ステップと、
（ｂ）前記ユーザに質問を提示し、前記ユーザによる前記質問に対する回答を取得する、ステップと、
（ｃ）特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、ステップと、
を有する、ことを特徴とする。
【００１３】
更に、上記目的を達成するため、本発明の一側面におけるプログラムは、
コンピュータに、
（ａ）入床及び起床の際のユーザの行動を特定する、ステップと、
（ｂ）前記ユーザに質問を提示し、前記ユーザによる前記質問に対する回答を取得する、ステップと、
（ｃ）特定された前記行動、及び取得された前記回答のうち、少なくとも一方に基づいて、前記ユーザが眠りに入るために横になった時刻、前記ユーザが眠りに入った時刻、前記ユーザが眠りから覚めた時刻、及び前記ユーザが起き上がった時刻、それぞれを特定する、ステップと、
を実行させることを特徴とする。
【発明の効果】
【００１４】
以上のように、本発明によれば、人による睡眠についての主観的な時刻の取得を支援し、且つ、得られたデータの活用を促進することができる。
【図面の簡単な説明】
【００１５】
【図１】図１は、本発明の実施の形態における睡眠記録支援装置の概略構成を示すブロック図である。
【図２】図２は、本発明の実施の形態における睡眠記録支援装置の具体的構成を示すブロック図である。
【図３】図３は、本発明の実施の形態における睡眠記録支援装置の動作を示すフロー図である。
【図４】図４は、本発明の実施の形態における睡眠記録支援装置を実現する情報端末装置の一例を示すブロック図である。
【発明を実施するための形態】
【００１６】
（実施の形態）
以下、本発明の実施の形態における、睡眠記録支援装置、睡眠支援記録方法、およびプログラムについて、図１〜図４を参照しながら説明する。
【００１７】
［装置構成］
最初に、本発明の実施の形態における睡眠記録支援装置の概略構成について図１を用いて説明する。図１は、本発明の実施の形態における睡眠記録支援装置の概略構成を示すブロック図である。
【００１８】
図１に示す本実施の形態における睡眠記録支援装置１０は、不眠に悩む人における主観的な睡眠記録を支援する装置である。図１に示すように、睡眠記録支援装置１０は、行動特定部１１と、回答取得部１２と、時刻特定部１３とを備えている。
【００１９】
行動特定部１１は、入床及び起床の際のユーザの行動を特定する。回答取得部１２は、ユーザに質問を提示し、ユーザによる質問に対する回答を取得する。時刻特定部１３は、特定された行動、及び取得された回答のうち、少なくとも一方に基づいて、ユーザが眠りに入るために横になった時刻、ユーザが眠りに入った時刻（入眠時刻）、ユーザが眠りから覚めた時刻、及びユーザが起き上がった時刻、それぞれを特定する。
【００２０】
このように、睡眠記録支援装置１０によれば、睡眠に関する４つの時刻を簡単に記録できる。このため、睡眠記録支援装置１０によれば、ユーザによる睡眠についての主観的な時刻の取得を支援し、且つ、得られたデータの活用を促進することができる。
【００２１】
なお、以降において、ユーザが眠りに入るために横になった時刻を「入床時刻」、ユーザが眠りに入った時刻を「入眠時刻」、ユーザが眠りから覚めた時刻を「起床時刻」、ユーザが起き上がった時刻を「離床時刻」と表記する。
【００２２】
続いて、図２を用いて、本実施の形態における睡眠記録支援装置１０の具体的構成について説明する。図２は、本発明の実施の形態における睡眠記録支援装置の具体的構成を示すブロック図である。
【００２３】
図２に示すように、本実施の形態においては、睡眠記録支援装置１０は、情報端末装置１０に備えられている。具体的には、睡眠記録支援装置１０は、情報端末装置１００に組み込まれているオペレーティングシステム（ＯＳ）上に、プログラムによって構築されている。
【００２４】
また、情報端末装置１００は、液晶表示パネル、有機ＥＬ（Electro Luminescence）パネル等の表示装置３０と、タッチパネル、キーボード等の入力装置４０と、メモリ装置５０とを備えている。情報端末装置１００の具体例としては、スマートフォン、タブレット型端末等が挙げられる。なお、プログラムについては後述する。
【００２５】
行動特定部１１は、本実施の形態では、ユーザが情報端末装置１００に対して行った操作を、ユーザの行動として特定する。操作としては、情報端末装置１００を起動させる操作、特定のアプリケーションプログラムを起動させる操作、アラーム時刻を設定する操作、アラーム音を止める操作等が挙げられる。
【００２６】
回答取得部１２は、本実施の形態では、ユーザに質問を提示するため、情報端末装置１００の表示装置３０の画面上に質問を表示させる。また、回答取得部１２は、情報端末装置１００の入力装置４０を介して、ユーザによる質問の回答を取得する。
【００２７】
また、回答取得部１２は、行動特定部１１によって特定されるユーザの操作に応じて質問を作成し、作成した質問を表示装置３０の画面に表示させる。例えば、行動特定部１１が、ユーザによる情報端末装置１００を起動させる操作を特定した場合は、回答取得部１２は、特定された操作が実行された時刻を用いて、起床時刻を問いかける質問を作成する。
【００２８】
また、行動特定部１１が、情報端末装置１００が備えるアラームの時刻の設定操作を特定した場合は、回答取得部１２は、設定されたアラームの時刻を用いて、起床時刻を問いかける質問を作成する。更に、この場合においては、回答取得部１２は、設定操作が実行された時刻を用いて、入床時刻を問いかける質問及び入眠時刻を問いかける質問を作成することもできる。
【００２９】
更に、行動特定部１１が、一定時間の経過後に情報端末装置１００を起動させる操作を特定した場合、又はアラーム音を止める操作を特定した場合は、回答取得部１２は、操作が実行された時刻を用いて、離床時刻を問いかける質問を作成する。
【００３０】
具体的には、アラームの時刻が７：００に設定され、設定操作が０：１０に行なわれたとする。このとき、回答取得部１２は、例えば、アラームの時刻を起床時刻として、下記の質問１を作成する。更に、回答取得部１２は、例えば、設定操作が実行された時刻に１０分を加算した時刻を入床時刻とし、設定操作が実行された時刻に２０分を加算した時刻を入眠時刻として、下記の質問２及び質問３を作成する。
【００３１】
質問１：「眠りから覚めたのは７：００ですか？」
質問２：「昨夜ベッドに入ったのは０：２０ですか？」
質問３：「昨夜眠りについたのは０：３０ですか？」
【００３２】
また、回答取得部１２が取得する回答は、質問に対するイエスまたはノーでも良いが、ノーの場合は、回答取得部１２は、時刻を新たに設定して再度質問を提示するか、ユーザに正しい時刻を回答させる。
【００３３】
時刻特定部１３は、本実施の形態では、ユーザに提示された質問に対する回答に基づいて、各種時刻を特定する。例えば、ユーザに提示された質問が起床時刻を問いかけている場合は、時刻特定部１３は、この質問に対する回答に基づいて、ユーザの起床時刻を特定する。また、ユーザに提示された質問が入床時刻を問いかけている場合は、時刻特定部１３は、この質問に対する回答に基づいて、ユーザの入床時刻を特定する。
【００３４】
また、時刻特定部１３は、入床時刻、入眠時刻、起床時刻、及び離床時刻を特定すると、特定した各時刻をメモリ装置５０に格納する。
【００３５】
［装置動作］
次に、本発明の実施の形態における睡眠記録支援装置１０の動作について図３を用いて説明する。図３は、本発明の実施の形態における睡眠記録支援装置の動作を示すフロー図である。以下の説明においては、適宜図１及び図２を参酌する。また、本実施の形態では、睡眠記録支援装置１０を動作させることによって、睡眠記録支援方法が実施される。よって、本実施の形態における睡眠記録支援方法の説明は、以下の睡眠記録支援装置１０の動作説明に代える。
【００３６】
図３に示すように、最初に、睡眠記録支援装置１０において、行動特定部１１は、ユーザによってアラームの時刻の設定操作が実行されているかどうかを判定する（ステップＳ１）。
【００３７】
ステップＳ１の判定の結果、アラームの時刻の設定操作が実行されていない場合は、行動特定部１１は、待機状態となり、設定時間の経過後に再度ステップＳ１を実行する。
【００３８】
一方、ステップＳ１の判定の結果、アラームの時刻の設定操作が実行されている場合は、行動特定部１１は、設定されたアラームの時刻と設定操作が実行された時間を特定する（ステップＳ２）。そして、行動特定部１１は、特定した各時刻を回答取得部１２に入力する。
【００３９】
次に、回答取得部１２は、設定されたアラームの時刻を用いて、起床時刻を問いかける質問を作成する（ステップＳ３）。続いて、回答取得部１２は、設定操作が実行された時刻を用いて、入床時刻を問いかける質問及び入眠時刻を問いかける質問を作成する（ステップＳ４）。
【００４０】
次に、行動特定部１１は、ユーザによってアラーム音を止める操作が実行されているかどうかを判定する（ステップＳ５）。
【００４１】
ステップＳ５の判定の結果、アラーム音を止める操作が実行されている場合は、行動特定部１１は、操作が実行された時間を特定する（ステップＳ６）。そして、行動特定部１１は、特定した時刻を回答取得部１２に入力する。
【００４２】
次に、回答取得部１２は、アラーム音を止める操作が実行された時刻を用いて、離床時刻を問いかける質問を作成する（ステップＳ７）。
【００４３】
ステップＳ５の判定の結果、アラーム音を止める操作が実行されていない場合は、行動特定部１１は、一定時間の経過後に情報端末装置１００を起動させる操作を特定する（ステップＳ８）。この場合、行動特定部１１は、操作が実行された時刻を回答取得部１２に入力する。
【００４４】
次に、回答取得部１２は、情報端末装置１００を起動させる操作が実行された時刻を用いて、離床時刻を問いかける質問を作成する（ステップＳ９）。
【００４５】
ステップＳ７又はステップＳ９の実行後、回答取得部１２は、作成した質問を、表示装置３０の画面上に表示して、ユーザに提示する（ステップＳ１０）。
【００４６】
次に、Ｓ９の実行後、回答取得部１２は、入力装置４０を介して、ユーザによる質問の回答を取得し、取得した回答を時刻特定部１３に入力する（ステップＳ１１）。
【００４７】
次に、時刻特定部１３は、ユーザに提示された質問に対する回答に基づいて、入床時刻、入眠時刻、起床時刻、及び離床時刻を特定する（ステップＳ１２）。また、時刻特定部１３は、入床時刻、入眠時刻、起床時刻、及び離床時刻を特定すると、特定した各時刻をメモリ装置５０に格納する。メモリ装置５０に格納された各時刻は、ユーザにおける不眠のための認知行動療法において有用となる。
【００４８】
ステップＳ１２の実行により、睡眠記録支援装置１０における処理は終了する。但し、所定の期間が経過した場合、又は所定の時刻となった場合に、再度、ステップＳ１からＳ１２が実行される。具体的には、ステップＳ１の実行から１日が経過した場合、ユーザが就寝時刻となった場合に、睡眠記録支援装置１０は起動してステップＳ１からＳ１２を実行する。
【００４９】
［実施の形態における効果］
このように、ユーザは、睡眠記録支援装置１０からの質問に対して回答するだけで良く、それだけで、不眠のための認知行動療法（ＣＢＴ−Ｉ）で必要とされる４つの時刻が記録される。従って、睡眠記録支援装置１０によれば、特に、不眠のための認知行動療法において、ユーザによる睡眠についての主観的な時刻の取得を支援し、且つ、得られたデータの活用を促進することができる。
【００５０】
［プログラム］
本実施の形態におけるプログラムは、情報端末装置１００に、図３に示すステップＳ１〜Ｓ１２を実行させるプログラムであれば良い。このプログラムを情報端末装置１００にインストールし、実行することによって、本実施の形態における睡眠記録支援装置１０と睡眠記録支援方法とを実現することができる。この場合、情報端末装置１００のＣＰＵ（Central Processing Unit）は、行動特定部１１、回答取得部１２、及び時刻特定部１３として機能し、処理を行なう。
【００５１】
ここで、本実施の形態におけるプログラムを実行することによって、睡眠記録支援装置１０を実現する情報処理装置１００について図４を用いて説明する。図４は、本発明の実施の形態における睡眠記録支援装置を実現する情報端末装置の一例を示すブロック図である。
【００５２】
図４に示すように、情報端末装置１００は、コンピュータであり、ＣＰＵ１０１と、メインメモリ１０２と、フラッシュメモリ１０３と、入力インターフェイス１０４と、表示コントローラ１０５と、タッチパネル１０６と、表示パネル１０７とを備える。これらの各部は、バス１０８を介して、互いにデータ通信可能に接続される。
【００５３】
ＣＰＵ１０１は、フラッシュメモリ１０３に格納された、本実施の形態におけるプログラム（コード）をメインメモリ１０２に展開し、これらを所定順序で実行することにより、各種の演算を実施する。メインメモリ１０２は、典型的には、ＤＲＡＭ（Dynamic Random Access Memory）等の揮発性の記憶装置である。
【００５４】
また、入力インターフェイス１０４は、ＣＰＵ１０１と、タッチパネル１０６との間のデータ伝送を仲介する。表示コントローラ１０５は、表示パネル１０７と接続され、表示パネル１０７での表示を制御する。
【００５５】
また、本実施の形態におけるプログラムは、例えば、コンピュータ読み取り可能な記録媒体に格納された状態で提供される。また、本実施の形態におけるプログラムは、インターネット上で送信されてくるものであっても良い。記録媒体の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【産業上の利用可能性】
【００５６】
以上のように、本発明によれば、人による睡眠についての主観的な時刻の取得を支援し、且つ、得られたデータの活用を促進することができる。本発明は、特に、不眠のための認知行動療法に有用である。
【符号の説明】
【００５７】
１０  睡眠記録支援装置
１１  行動特定部
１２  回答取得部
１３  時刻特定部
２０  オペレーティングシステム（ＯＳ）
３０  表示装置
４０  入力装置
５０  メモリ装置
１００  情報端末装置
１０１  ＣＰＵ
１０２  メインメモリ
１０３  フラッシュメモリ
１０４  入力インターフェイス
１０５  表示コントローラ
１０６  タッチパネル
１０７  表示パネル
１０８  バス
【図１】
0006711515.tif 000002
【図２】
0006711515.tif 000003
【図３】
0006711515.tif 000004
【図４】
0006711515.tif 000005